(57)【要約】【課題】通紙途中で発生した汚れにも対応でき、極力筋ノイズを排除できる画像読取り装置を得る。【解決手段】原稿を１枚ずつ搬送し、搬送途中で該原稿の画像を光学的に読み取るようにした画像読取り装置。原稿を１回通紙することで、該原稿の第１面の画像を読取り位置Ａで読み取る第１読取り手段３１及び該原稿の第２面の画像を読取り位置Ｂで読み取る第２の読取り手段４１を備えている。１回目の通紙で両面の画像を読み取られた原稿は表裏を反転され、２回目の通紙で第２面の画像が第１読取り手段３１で読み取られ、第１面の画像が第２読取り手段４１で読み取られる。制御部では、読取り手段３１，４１にて読み取られた同一面の画像データを比較して筋ノイズが少ないほうの画像データを出力する。【選択図】図１
2010226361.tif 000002
【特許請求の範囲】
【請求項１】
原稿を１枚ずつ搬送し、搬送途中で該原稿の画像を光学的に読み取るようにした画像読取り装置において、
原稿を１回通紙することで、該原稿の第１面の画像を読み取る第１読取り手段及び該原稿の第２面の画像を読み取る第２読取り手段と、
第１及び第２読取り手段を通過した後の原稿を表裏反転させて再度第１及び第２読取り手段を通過させる搬送手段と、
第１及び第２読取り手段にて読み取られた同一面の画像データを比較して筋ノイズが少ないほうの画像データを出力する制御手段と、
を備えたことを特徴とする画像読取り装置。
【請求項２】
前記制御手段は、同一面の画像データを比較して筋ノイズが存在する位置に応じて重み付けし、重み付けの結果に応じて出力すべき画像データを選択すること、を特徴とする請求項１に記載の画像読取り装置。
【請求項３】
原稿を１枚ずつ搬送し、搬送途中で該原稿の画像を光学的に読み取るようにした画像読取り装置において、
原稿を１回通紙することで、該原稿の第１面の画像を読み取る第１読取り手段及び該原稿の第２面の画像を読み取る第２読取り手段と、
第１及び第２読取り手段を通過した後の原稿を表裏反転させて再度第１及び第２読取り手段を通過させる搬送手段と、
第１及び第２読取り手段にて読み取られた同一面の画像データを比較し、一方の画像データに筋ノイズが存在する場合には、他方の画像データの同一部分であって筋ノイズが存在しない画像データ部分を一方の画像データに合成する制御手段と、
を備えたことを特徴とする画像読取り装置。
【請求項４】
原稿を１枚ずつ搬送し、搬送途中で該原稿の画像を光学的に読み取るようにした画像読取り装置において、
原稿を１回通紙することで、該原稿の第１面の画像を読み取る二つの第１読取り手段及び該原稿の第２面の画像を読み取る二つの第２読取り手段と、
第１及び第２読取り手段のそれぞれにて読み取られた同一面の画像データを比較して筋ノイズが少ないほうの画像データを出力する制御手段と、
を備えたことを特徴とする画像読取り装置。
【請求項５】
前記制御手段は、同一面の画像データを比較して筋ノイズが存在する位置に応じて重み付けし、重み付けの結果に応じて出力すべき画像データを選択すること、を特徴とする請求項４に記載の画像読取り装置。
【請求項６】
原稿を１枚ずつ搬送し、搬送途中で該原稿の画像を光学的に読み取るようにした画像読取り装置において、
原稿を１回通紙することで、該原稿の第１面の画像を読み取る二つの第１読取り手段及び該原稿の第２面の画像を読み取る二つの第２読取り手段と、
第１及び第２読取り手段のそれぞれにて読み取られた同一面の画像データを比較し、一方の画像データに筋ノイズが存在する場合には、他方の画像データの同一部分であって筋ノイズが存在しない画像データ部分を一方の画像データに合成する制御手段と、
を備えたことを特徴とする画像読取り装置。
【発明の詳細な説明】
【技術分野】
【０００１】
本発明は、画像読取り装置、特に、原稿を１枚ずつ搬送し、搬送途中で該原稿の画像を光学的に読み取るようにした画像読取り装置に関する。
【背景技術】
【０００２】
従来、原稿画像を光学的に読み取る画像読取り装置としては、プラテンガラス上に載置された原稿の画像を読取り光学系をスキャンさせながら読み取る静止原稿読取り方式と、原稿を１枚ずつコンタクトガラス上を搬送しながら静止された読取り光学系で読み取るシートスルー方式が提供されている。シートスルー方式は自動原稿搬送ユニットを使用することで短時間に多数枚の原稿画像を読み取ることが可能である。
【０００３】
しかしながら、シートスルー方式では、コンタクトガラスに異物が付着すると、該異物が筋ノイズとして読み取られてしまい、画像品質を大きく損なうという問題点を有している。そこで、特許文献１には、１回の通紙で原稿の両面を同時に読み取ることのできる第１読取り手段及び第２読取り手段を備え、原稿が通紙されていない状態で異物の付着レベルを検出し、異物の付着のない読取り手段で画像を読み取るようにし、かつ、ユーザーに清掃を促す警告を発するようにした読取り装置が記載されている。特許文献２には、１回の通紙で原稿の両面を同時に読み取ることのできる第１読取り手段及び第２読取り手段と原稿反転手段を備え、一方の読取り手段が故障などの場合は原稿を反転させて他方の読取り手段で画像を読み取るようにした読取り装置が記載されている。
【０００４】
しかし、事前に異物の付着を読み取る方法では、通紙中に新たに付着した異物にて筋ノイズが発生することに対応できない。両方の読取り手段が汚れた場合には読取りが不能になり、筋ノイズが発生した状態で画像を読み込まざるを得ないなどの問題点を有している。
【先行技術文献】
【特許文献】
【０００５】
【特許文献１】特開２００８−１４８２６６号公報
【特許文献２】特開２００６−１４８２９４号公報
【発明の概要】
【発明が解決しようとする課題】
【０００６】
そこで、本発明の目的は、通紙途中で発生した汚れにも対応でき、極力筋ノイズを排除できる画像読取り装置を提供することにある。
【課題を解決するための手段】
【０００７】
以上の目的を達成するため、本発明の第１の形態である画像読取り装置は、
原稿を１枚ずつ搬送し、搬送途中で該原稿の画像を光学的に読み取るようにした画像読取り装置において、
原稿を１回通紙することで、該原稿の第１面の画像を読み取る第１読取り手段及び該原稿の第２面の画像を読み取る第２読取り手段と、
第１及び第２読取り手段を通過した後の原稿を表裏反転させて再度第１及び第２読取り手段を通過させる搬送手段と、
第１及び第２読取り手段にて読み取られた同一面の画像データを比較して筋ノイズが少ないほうの画像データを出力する制御手段と、
を備えたことを特徴とする。
【０００８】
本発明の第２の形態である画像読取り装置は、
原稿を１枚ずつ搬送し、搬送途中で該原稿の画像を光学的に読み取るようにした画像読取り装置において、
原稿を１回通紙することで、該原稿の第１面の画像を読み取る第１読取り手段及び該原稿の第２面の画像を読み取る第２読取り手段と、
第１及び第２読取り手段を通過した後の原稿を表裏反転させて再度第１及び第２読取り手段を通過させる搬送手段と、
第１及び第２読取り手段にて読み取られた同一面の画像データを比較し、一方の画像データに筋ノイズが存在する場合には、他方の画像データの同一部分であって筋ノイズが存在しない画像データ部分を一方の画像データに合成する制御手段と、
を備えたことを特徴とする。
【０００９】
本発明の第３の形態である画像読取り装置は、
原稿を１枚ずつ搬送し、搬送途中で該原稿の画像を光学的に読み取るようにした画像読取り装置において、
原稿を１回通紙することで、該原稿の第１面の画像を読み取る二つの第１読取り手段及び該原稿の第２面の画像を読み取る二つの第２読取り手段と、
第１及び第２読取り手段のそれぞれにて読み取られた同一面の画像データを比較して筋ノイズが少ないほうの画像データを出力する制御手段と、
を備えたことを特徴とする。
【００１０】
本発明の第４の形態である画像読取り装置は、
原稿を１枚ずつ搬送し、搬送途中で該原稿の画像を光学的に読み取るようにした画像読取り装置において、
原稿を１回通紙することで、該原稿の第１面の画像を読み取る二つの第１読取り手段及び該原稿の第２面の画像を読み取る二つの第２読取り手段と、
第１及び第２読取り手段のそれぞれにて読み取られた同一面の画像データを比較し、一方の画像データに筋ノイズが存在する場合には、他方の画像データの同一部分であって筋ノイズが存在しない画像データ部分を一方の画像データに合成する制御手段と、
を備えたことを特徴とする。
【００１１】
前記第１及び第２の形態である画像読取り装置においては、原稿を表裏反転させることによって第１及び第２読取り手段にて読み取られた同一面の画像データを比較して筋ノイズが少ない画像データを出力するようにしたため、通紙途中で発生した汚れにも対応して極力筋ノイズを排除した画像データを得ることができる。
【００１２】
前記第３及び第４の形態である画像読取り装置においては、１回の通紙でそれぞれ二つずつ設けた第１及び第２読取り手段にて読み取られた同一面の画像データを比較して筋ノイズが少ない画像データを出力するようにしたため、１回の通紙のみで通紙途中で発生した汚れにも対応して極力筋ノイズを排除した画像データを得ることができる。
【発明の効果】
【００１３】
本発明によれば、異なる読取り手段で読み取った二つの画像データを比較するため、通紙途中で発生した汚れにも対応でき、極力筋ノイズを排除した画像データを得ることができる。
【図面の簡単な説明】
【００１４】
【図１】第１実施例である画像読取り装置を示す概略構成図である。
【図２】第２実施例である画像読取り装置を示す概略構成図である。
【図３】第１実施例である画像読取り装置の制御部を示すブロック図である。
【図４】第１実施例である画像読取り装置の画像処理部を示すブロック部である。
【図５】第１の制御例を示すフローチャート図である。
【図６】第２の制御例を示すフローチャート図である。
【図７】第２の制御例における重み付けエリアを示す説明図である。
【図８】第３の制御例を示すフローチャート図である。
【発明を実施するための形態】
【００１５】
以下、本発明に係る画像読取り装置の実施例について、添付図面を参照して説明する。なお、各図面において、同一部材、部分に関しては同じ符号を付し、重複する説明は省略する。
【００１６】
（第１実施例、図１参照）
第１実施例である画像読取り装置１Ａは、図１に示すように、概略、自動原稿搬送（ＡＤＦ）ユニット１０と、ＣＣＤタイプ（縮小光学系）の第１読取り手段３１と、ＣＩＳタイプ（密着光学系）の第２読取り手段４１と、で構成されている。第１及び第２読取り手段３１，４１はともにＲＧＢの３原色によってカラー画像を読み取る。
【００１７】
ＡＤＦユニット１０は、原稿トレイ１１と、ピックアップローラ１２と、給紙・捌きローラ１３と、搬送ローラ１４と、読取り前搬送ローラ１５と、読取り後搬送ローラ１６と、各種搬送ローラ１７，１８，１９，２０と、排出トレイ２１と、中間トレイ２２と、で構成されている。
【００１８】
第１読取り手段３１は、ランプ３２と、ミラー３３，３４，３５と、結像レンズ３６とＣＣＤ３７とで構成され、読取り位置Ａを搬送される原稿の第１面をコンタクトガラス３８を介してランプ３２で照射し、その反射光をミラー３３，３４，３５、結像レンズ３６を介してＣＣＤ３７に導いて読み取る。読み取られた画像データは画像処理部４５（図４参照）にて以下に説明する処理が行われる。
【００１９】
第２読取り手段４１は、発光素子からの光をコンタクトガラス４４を介して読取り位置Ｂを搬送される原稿の第２面を照射し、その反射光をＣＣＤ４２で読み取る。読み取られた画像データは画像処理部４６（図４参照）にて以下に説明する処理が行われる。
【００２０】
なお、第１読取り手段３１は静止原稿読取り方式にも兼用される構成となっているが、そのような構成は周知であり、説明は省略する。
【００２１】
トレイ１１上に載置された複数枚の原稿は、最上層のものからピックアップローラ１２でピックアップされ、給紙・捌きローラ１３で１枚ずつに捌かれて給紙され、搬送ローラ１４，１５から第１読取り手段３１の読取り位置Ａ及び第２読取り手段４１の読取り位置Ｂを通過し、第１面の画像が第１読取り手段３１にて読み取られ、第２面の画像が第２読取り手段４１にて読み取られる。
【００２２】
１回目の通紙で画像を読み取られた原稿は、その後、搬送ローラ１７，１８にて排出トレイ２１上に送られ、搬送ローラ１８に挟持された状態で該搬送ローラ１８を逆転させることで表裏反転され、搬送ローラ１７，１９にて反転搬送路２５を通じて読取り前搬送ローラ１５の直前に戻される。そして、２回目の通紙で第２面の画像が第１読取り手段３１にて読み取られ、第１面の画像が第２読取り手段４１にて読み取られる。２回目の通紙を終えた原稿は、搬送路２６を通じて搬送ローラ２０にて中間トレイ２２に送られ、搬送ローラ２０に挟持された状態で該搬送ローラ２０を逆転させることで表裏反転され、搬送路２７を搬送され、搬送ローラ１８にて排出トレイ２１上に排出される。
【００２３】
ところで、シートスルー方式では、コンタクトガラス３８，４４に搬送途中原稿から落とされる紙粉や粘着物などの異物が付着すると、読み取られた画像データに筋ノイズが生じ、画像品質を大きく損なってしまう。そのような筋ノイズを排除するため、本第１実施例では、第１及び第２読取り手段３１，４１にて読み取られた同一面の画像データを比較して筋ノイズが少ないほうの画像データを制御部から出力する。制御部においては、同一面の画像データを比較して筋ノイズが存在する位置に応じて重み付けし、重み付けの結果に応じて出力すべき画像データを選択するようにしてもよい。
【００２４】
また、制御部においては、第１及び第２読取り手段３１，４１にて読み取られた同一面の画像データを比較し、一方の画像データに筋ノイズが存在する場合には、他方の画像データの同一部分であって筋ノイズが存在しない画像データ部分を一方の画像データに合成してもよい。この種の制御例については後に詳述する。
【００２５】
なお、ＡＤＦユニット１０では、搬送される原稿がコンタクトガラス３８，４４に直接接触しないように、原稿ガイドシート３９を配置したり、読取り後搬送ローラ１６の搬送速度を読取り前搬送ローラ１５の搬送速度より若干高めるなどの方策を講じている。しかし、異物がコンタクトガラス３８，４４に付着することを完全に排除することは困難である。
【００２６】
（第２実施例、図２参照）
第２実施例である画像読取り装置１Ｂは、図２に示すように、二つの第１読取り手段３１Ａ，３１Ｂ及び二つの第２読取り手段４１Ａ，４１Ｂを設けたもので、他の構成は前記第１実施例と同様である。二つ目の第１読取り手段３１Ｂは一つ目の第１読取り手段３１Ａとランプ３２、ミラー３３，３４，３５が供用され、専用の結像レンズ３６Ｂ及びＣＣＤ３７Ｂを備えている。一つ目の第１読取り手段３１Ａの読取り位置Ａ１に対して、二つ目の第１読取り手段３１Ｂは読取り位置Ａ２で反射された原稿画像を読み取る。二つの第２読取り手段４１Ａ，４１ＢはＣＣＤ４２Ａ，４２Ｂを搬送方向に並べて配置したもので、ＣＣＤ４２Ａ，４２Ｂはそれぞれ読取り位置Ｂ１，Ｂ２にて原稿画像を読み取る。
【００２７】
本第２実施例においては、１回の通紙で、第１面の画像が第１読取り手段３１Ａ，３１Ｂにて読み取られた二つの画像データとして得られ、第２面の画像が第２読取り手段４１Ａ，４１Ｂにて読み取られた二つの画像データとして得られる。
【００２８】
そこで、本第２実施例では、第１読取り手段３１Ａ，３１Ｂ及び第２読取り手段４１Ａ，４１Ｂのそれぞれにて読み取られた同一面の画像データを比較して筋ノイズが少ないほうの画像データを制御部から出力する。制御部においては、同一面の画像データを比較して筋ノイズが存在する位置に応じて重み付けし、重み付けの結果に応じて出力すべき画像データを選択するようにしてもよい。
【００２９】
また、制御部においては、第１読取り手段３１Ａ，３１Ｂ及び第２読取り手段４１Ａ，４１Ｂのそれぞれにて読み取られた同一面の画像データを比較し、一方の画像データに筋ノイズが存在する場合には、他方の画像データの同一部分であって筋ノイズが存在しない画像データ部分を一方の画像データに合成してもよい。
【００３０】
（制御部、図３参照）
ここで、画像読取り装置の制御部について図３を参照して説明する。この制御部は第１実施例に関するものであるが、第２実施例に関しても第１読取り手段３１Ａ，３１Ｂ及び第２読取り手段４１Ａ，４１Ｂが二つずつ配置されている点以外は同様の構成である。
【００３１】
ＡＤＦユニット１０を制御するＣＰＵ５０とスキャナユニット３０（第１及び第２読取り手段３１，４１を含めてスキャナユニットと称する）を制御するＣＰＵ６０とは相互に通信可能に接続されている。この通信を通じて、トレイ１１上で検出された原稿サイズや原稿の搬送モードや原稿搬送タイミングなどの各種情報が交換される。
【００３２】
ＡＤＦユニット１０のＣＰＵ５０にはパルスモータＭ１，Ｍ２，Ｍ３をそれぞれ駆動するモータ駆動ＩＣ５１，５２，５３が接続されている。各モータ駆動ＩＣ５１，５２，５３に対しては励磁信号φ０〜φ３が入力され、読取り倍率や読取りモードに応じて原稿搬送速度などを変更する。また、パルスモータＭ１，Ｍ２，Ｍ３は、ＡＤＦユニット１０の給紙経路、読取り経路、反転経路などに配置した各種ローラを個別に駆動するように構成されており、原稿の搬送状態に応じて各種ローラの回転速度や回転方向を適宜切り換えるように制御される。
【００３３】
スキャナユニット３０を制御するＣＰＵ６０は第１読取り手段３１の静止位置を制御するパルスモータＭを駆動するモータ駆動ＩＣ６１が接続されている。なお、このパルスモータＭは第１読取り手段３１が静止原稿をスキャンする際の駆動源としても使用される。
【００３４】
第１読取り手段３１のＣＣＤ３７で得られた画像データは、以下に説明する第１画像処理部４５で処理されてＣＰＵ６０に入力される。第２読取り手段４１のＣＣＤ４２で得られた画像データは、以下に説明する第２画像処理部４６で処理されてＣＰＵ６０に入力される。画像データはＣＰＵ６０から図示しない複写機本体の画像データ処理部に出力されるが、第１読取り手段３１又は第２読取り手段４１で得られたいずれの画像データを複写機本体の画像データ処理部に送信するかの選択、あるいは、筋ノイズを除去した画像データの生成は、ＣＰＵ６０によって、又は、専用の処理部で処理される。
【００３５】
（画像処理部、図４参照）
次に、第１及び第２画像処理部４５，４６について図４を参照して説明する。各画像処理部４５，４６は同様の構成を有しているので、まとめて説明する。第１及び第２読取り手段３１，４１のＣＣＤ３７，４２で読み取られたＲＧＢのアナログの画像信号は、Ａ／Ｄ変換部７１に入力されてデジタル信号に変換される。このデジタル画像信号は、シェーディング補正部７２、色を明度と色差方式変換するための明度・色差分離部７３で処理される。さらに、画像鮮明化のためのシャープネス調整部７４、ＨＶＣ調整部７５、濃度補正部７６で調整処理される。
【００３６】
その後、画像データは、画像の色空間をＬ＊ａ＊ｂ＊色空間に変換する色空間変換部７７、データを圧縮するための圧縮伸張部７８で処理され、メモリ７９に一時的に格納される。前記シャープネス調整部７４、ＨＶＣ調整部７５、濃度補正部７６に対しては、画像濃度などの調整のためにパラメータ設定部８０により最適化が図られる。
【００３７】
また、筋ノイズ検出判定部８１では、第１及び第２読取り手段３１，４１で読み取られた原稿の同一面の画像データを比較し、データ上の差異に基づいて筋ノイズの存在を判定する。具体的には、差異部分に着目して原稿搬送方向に連続した階調変化の少ない画像がある部分が筋ノイズであると判定する。
【００３８】
（第１の制御例、図５参照）
前記ＣＰＵ６０における筋ノイズ低減に関する第１の制御例について図５を参照して説明する。まず、画像読取りタイミングであるか否かを判定する（ステップＳ１）。画像読取りタイミングとは、ここでは、読取り手段３１，４１による画像の読取りが完了した時点を意味する。画像読取りタイミングであれば（ステップＳ１でＹＥＳ）、第１及び第２読取り手段３１，４１で得た画像データを比較し、画像データにゴミや汚れによる差異があるか否かを判定する（ステップＳ２）。両画像データに差異がなければ（ステップＳ２でＮＯ）、いずれの画像データにも筋ノイズが存在していないので、第１読取り手段３１の画像データを出力する（ステップＳ９）。
【００３９】
両画像データに差異がある場合（ステップＳ２でＹＥＳ）、少なくともいずれかの画像データに筋ノイズが存在しているので、ステップＳ２で判定した差異部分に着目し、原稿搬送方向に連続した階調変化の少ない画像がある部分が筋ノイズであると判断する。第１読取り手段３１の画像データに筋ノイズがないと判断すると（ステップＳ３でＹＥＳ）、第１読取り手段３１の画像データを出力する（ステップＳ６）。一方、第２読取り手段４１の画像データに筋ノイズがないと判断すると（ステップＳ４でＹＥＳ）、第２読取り手段４１の画像データを出力する（ステップＳ８）。
【００４０】
いずれの画像データにも筋ノイズが存在する場合（ステップＳ３，４でＮＯ）、両画像データの筋ノイズの量を比較し（ステップＳ５）、第２読取り手段４１の画像データの方が筋ノイズが多ければ（ステップＳ５でＹＥＳ）、第１読取り手段３１の画像データを出力する（ステップＳ７）。第１読取り手段３１の画像データの方が筋ノイズが多ければ（ステップＳ５でＮＯ）、第２読取り手段４１の画像データを出力する（ステップＳ８）。
【００４１】
（第２の制御例、図６参照）
前記ＣＰＵ６０における筋ノイズ低減に関する第２の制御例について図６を参照して説明する。本第２の制御例は前記第１の制御例と基本的には同様である。異なるのは、同一面のそれぞれの画像データに筋ノイズが存在する場合、筋ノイズ量を原稿面のエリアに応じて重み付けし、重み付けされた筋ノイズ量の少ないほうの画像データを出力する。
【００４２】
重み付けは、図７に示すように、原稿面を中央部分のエリア１と読込み方向（搬送方向）の両側のエリア２に区分し、エリア１の筋ノイズにはエリア２の筋ノイズの数に対して３倍の重み付けを行う。具体的には、ステップＳ５ａでエリア１の筋ノイズ数を３倍してカウントし、エリア１，２のそれぞれのカウントの合計数が第２読取り手段４１の画像データの方が多ければ（ステップＳ５ａでＹＥＳ）、第１読取り手段３１の画像データを出力する（ステップＳ７）。第１読取り手段３１の画像データの方が多ければ（ステップＳ５ａでＮＯ）、第２読取り手段４１の画像データを出力する（ステップＳ８）。
【００４３】
（第３の制御例、図８参照）
前記ＣＰＵ６０における筋ノイズ低減に関する第３の制御例について図８を参照して説明する。本第３の制御例は前記第１の制御例と基本的には同様である。異なるのは、同一面のそれぞれの画像データに筋ノイズが存在する場合、各画像データにおける筋ノイズの位置を比較し、筋ノイズが存在する部分の画像データを破棄し、破棄部分に同一位置の筋ノイズが存在しない画像データを合成する。
【００４４】
具体的には、ステップＳ５ｂで、第１及び第２読取り手段３１，４１の画像データそれぞれの筋ノイズが存在する位置が同一か否かを判定する。同一位置に筋ノイズが存在しない場合は（ステップＳ５ｂでＮＯ）、第１読取り手段３１の画像データにおける筋ノイズ部分の画像データを破棄し、破棄した部分の同一位置に第２読取り手段４１の画像データの該当位置の画像データを合成して出力する（ステップＳ８）。一方、同一位置に筋ノイズが存在する場合は（ステップＳ５ｂでＹＥＳ）、その部分については第１読取り手段３１の画像データをそのまま採用し、同一位置に筋ノイズが存在しない部分については、第１読取り手段３１の画像データにおける筋ノイズ部分の画像データを破棄し、破棄した部分の同一位置に第２読取り手段４１の画像データの該当位置の画像データを合成して出力する（ステップＳ７）。
【００４５】
（他の制御例）
前記第１、第２及び第３の制御例は、いずれも図１に示した第１実施例である画像読取り装置での制御に関するものである。図２に示した第２実施例である画像読取り装置での制御に関しては、１回の通紙で原稿の第１面及び第２面の画像データをそれぞれ二つの第１の読取り手段及び第２の読取り手段にて得られる。このようにして得られた同一面の画像データを比較すればよい。即ち、第１面の画像に関しては第１の読取り手段のそれぞれの画像データを比較し、第２面の画像に関しては第２の読取り手段のそれぞれの画像データを比較し、前記第１、第２及び第３の制御例と同様の制御を行えばよい。
【００４６】
（他の実施例）
なお、本発明に係る画像読取り装置は前記実施例に限定するものではなく、その要旨の範囲内で種々に変更できる。
【００４７】
特に、原稿の搬送経路の詳細な構成や読取り手段の詳細な構成、あるいは、制御部や画像処理部の詳細な構成などは任意である。
【産業上の利用可能性】
【００４８】
以上のように、本発明は、画像読取り装置に有用であり、特に、通紙途中で発生した汚れにも対応でき、極力筋ノイズを排除できる点で優れている。
【符号の説明】
【００４９】
１Ａ，１Ｂ…画像読取り装置
１０…自動原稿搬送ユニット
３１，３１Ａ，３１Ｂ…第１読取り手段
４１，４１Ａ，４１Ｂ…第２読取り手段
４５，４６…画像処理部
６０…ＣＰＵ
【図１】
2010226361.tif 000003
【図２】
2010226361.tif 000004
【図３】
2010226361.tif 000005
【図４】
2010226361.tif 000006
【図５】
2010226361.tif 000007
【図６】
2010226361.tif 000008
【図７】
2010226361.tif 000009
【図８】
2010226361.tif 000010